(57)【要約】【課題】電線に対して着脱可能に取り付け可能であると共に、位置ずれ対策措置を目視しながら確実に行うことで、位置ずれを確実に防止することが可能な電線装着用絶縁カバーを提供する。【解決手段】ヒンジ部１１を中心として開閉し、電線Ｂの周囲を覆うように着脱可能に取り付けられる絶縁性素材で形成されたカバー本体１０と、このカバー本体１０と一体をなし、カバー本体１０が取り付けられる電線Ｂを外部からの操作で直接又はカバー本体を介して把持可能とするクランプ本体２０と、を具備する。クランプ本体２０は、共用操作棒Ａを装着可能なアダプタ２３を備え、可動側クランプ部材２２は、アダプタ２３に装着された共用操作棒Ａをその軸心回りに回転させることで固定側クランプ部材２１との対峙間隔を可変させる。【選択図】  図４
2019129586.tif 000002
【特許請求の範囲】
【請求項１】
ヒンジ部を中心として開閉し、電線の周囲を覆うように着脱可能に取り付けられる絶縁性素材で形成されたカバー本体と、
このカバー本体と一体をなし、前記カバー本体が取り付けられる電線を外部からの操作で直接又は前記カバー本体を介して把持可能とするクランプ本体と、
を具備することを特徴とする電線装着用絶縁カバー。
【請求項２】
前記カバー本体は、前記ヒンジ部を中心として回動する対をなすカバー部材を備え、この対をなすカバー部材は、電線に沿って延設された固定側カバー部材と、この固定側カバー部材に前記ヒンジ部を中心として回動する可動側カバー部材と、を有して構成され、
前記クランプ本体は、前記固定側カバー部材と一体をなし、前記電線を受け入れる凹部を備えた固定側クランプ部材と、外部からの操作で可動し、前記固定側クランプ部材との間で前記電線を挟持可能とする可動側クランプ部材と、を有して構成される
ことを特徴とする請求項１記載の電線装着用絶縁カバー。
【請求項３】
前記クランプ本体は、前記カバー本体を受け入れる凹部を備えた固定側クランプ部材と、外部からの操作で可動し、前記固定側クランプ部材との間で前記カバー本体を挟持可能する可動側クランプ部材と、を有して構成され、
前記カバー本体は、前記固定側クランプ部材に固定されたヒンジ部を備え、前記固定側クランプ部材と前記可動側クランプ部材との間に介在されて、前記クランプ本体の開閉に伴い開閉されるよう弾性変形するカバー部材を有して構成されることを特徴とする請求項１記載の電線装着用絶縁カバー。
【請求項４】
前記クランプ本体は、共用操作棒を装着可能なアダプタを備え、前記可動側クランプ部材は、前記アダプタに装着された前記共用操作棒をその軸心回りに回転させることで前記固定側クランプ部材との対峙間隔を可変させるものであることを特徴とする請求項１乃至３のいずれかに記載の電線装着用絶縁カバー。
【発明の詳細な説明】
【技術分野】
【０００１】
この発明は、架空電線の損傷箇所を補修するため等に電線に取り付けられる電線装着用絶縁カバーに関し、特に、補修箇所に着脱可能に取り付けられると共に位置ずれしないように固定することが可能な電線装着用絶縁カバーに関する。
【背景技術】
【０００２】
架空電線に損傷がある場合には、電線を被覆する補修カバーを取り付けることにより電線の補修を行っており、従来においては、各種補修カバーが提案されている。例えば、互いに組み合わされる半割れ状の一対のカバー本体と、一対のカバー本体の内面に充填された絶縁パテとを具備して構成するものや（従来技術１：特許文献１参照）。筒状のカバー本体と、このカバー本体の内周面に充填された絶縁パテと、絶縁パテを覆うシートとを備え、シートを除去又は破断して用いるものや（従来技術２：特許文献２）、長手方向に沿った下縁を分割して開閉可能とする筒状のカバー本体と、このカバー本体の両分割縁に設けられ、一方に係合突起を突設し、他方に係合突起を係脱自在に係合させる係合孔を設けた一対の突出片と、カバー本体の内側に設けられ、電線被覆の切断面に当接して電線に沿った移動を阻止するズレ止め防止片とを備えたもの（従来技術３：特許文献３）等が提案されている。
【先行技術文献】
【特許文献】
【０００３】
【特許文献１】特開平１１−１３６８２９号公報
【特許文献２】特開２０１５−１８６２８８号公報
【特許文献３】実用新案登録第３１６９１３８号公報
【発明の概要】
【発明が解決しようとする課題】
【０００４】
しかしながら、前述した従来技術１，２の絶縁カバーにおいては、例えば、高圧発電機車を用いた個別送電を行う際に、同じ箇所へ作業用ケーブルを取り付けようとしても、上述した絶縁カバーは、一旦取り付けた後に取り外すことは想定しておらず、補修カバーを容易に取り外すことができないため、絶縁カバーを取り付けた箇所と異なる箇所へケーブルを取り付けなければならない。また、ケーブルを取り付ける箇所が他になく、再度同じ箇所へケーブルを取り付けなければならない場合には、電線自体を張り替えることが必要となる。
【０００５】
この点、従来技術３においては、絶縁カバーは着脱可能であるが、ズレ止め防止片はカバー本体の内側に設けられ、カバー本体が閉じられるとズレ止め防止片が電線被覆の切断面に当接している否かを確認することができず、カバーの取り付け後に強風等によってカバーの位置ずれが生じることが懸念される。
【０００６】
本発明は、係る事情に鑑みてなされたものであり、電線に対して着脱可能に取り付け可能であると共に、位置ずれ対策措置を目視しながら確実に行うことで、位置ずれを確実に防止することが可能な電線装着用絶縁カバーを提供することを主たる課題としている。
【課題を解決するための手段】
【０００７】
上記課題を達成するために、本発明に係る電線装着用絶縁カバーは、ヒンジ部を中心として開閉し、電線の周囲を覆うように着脱可能に取り付けられる絶縁性素材で形成されたカバー本体と、このカバー本体と一体をなし、前記カバー本体が取り付けられる電線を外部からの操作で直接又は前記カバー本体を介して把持可能とするクランプ本体と、を具備することを特徴としている。
【０００８】
したがって、電線装着用絶縁カバーを電線の周囲に着脱可能なカバー本体と電線を把持するクランプ本体とを一体化して構成しているので、カバー本体を電線の補修必要箇所を覆うように取り付けた後にクランプ本体を外部から操作して電線を直接又はカバー本体を介して把持すれば、カバー本体を所望位置に固定することが可能となり、カバー本体の位置ずれ対策措置を目視しながら確実に行うことが可能となる。また、電線装着用絶縁カバーを取り外す場合も、クランプ本体による電線の把持状態を解除し、カバー本体をヒンジ部を中心として開ければ取り外すことが可能となるので、取り外しも容易に行うことが可能となる。
【０００９】
上記絶縁カバーのより具体的な構成例としては、前記カバー本体を、前記ヒンジ部を中心として回動する対をなすカバー部材を備え、この対をなすカバー部材は、電線に沿って延設された固定側カバー部材と、この固定側カバー部材に前記ヒンジ部を中心として回動する可動側カバー部材と、を有して構成し、前記クランプ本体を、前記固定側カバー部材と一体をなし、前記電線を受け入れる凹部を備えた固定側クランプ部材と、外部からの操作で可動し、前記固定側クランプ部材との間で前記電線を挟持可能とする可動側クランプ部材と、を有して構成してもよい。
【００１０】
また、他の構成例としては、前記クランプ本体を、前記カバー本体を受け入れる凹部を備えた固定側クランプ部材と、外部からの操作で可動し、前記固定側クランプ部材との間で前記カバー本体を挟持可能する可動側クランプ部材と、を有して構成し、前記カバー本体を、前記固定側クランプ部材に固定されたヒンジ部を備え、前記固定側クランプ部材と前記可動側クランプ部材との間に介在されて、前記クランプ本体の開閉に伴い開閉されるよう弾性変形するカバー部材を有して構成してもよい。
【００１１】
なお、前記クランプ本体は、共用操作棒を装着可能なアダプタを備え、前記可動側クランプ部材は、前記アダプタに装着された前記共用操作棒をその軸心回りに回転させることで前記固定側クランプ部材との対峙間隔を可変させるものとしてもよい。
このような構成によれば、共用操作棒をアダプタに取り付けて自身の軸心回りに回転させることで、クランプ本体の取り付けが可能となるので、間接活線作業に適したものとなる。
【発明の効果】
【００１２】
以上述べたように、本発明によれば、電線装着用絶縁カバーを、ヒンジ部を中心として開閉し、電線の周囲に着脱可能に取り付けられる絶縁性素材で形成されたカバー本体と、このカバー本体と一体をなし、カバー本体が取り付けられる電線を外部からの操作で把持可能とするクランプ本体と、を具備して構成したので、カバー本体を電線に対して着脱可能に取り付けることが可能になると共に、クランプ本体を外部から操作して目視をもって確認しながら位置ずれ措置を確実に行うことが可能であり、カバー本体の位置ずれを確実に防止することが可能となる。
【００１３】
また、クランプ本体に共用操作棒が装着可能なアダプタを設け、アダプタに装着された共用操作棒をその軸心回りに回転させることで可動側クランプ部材と固定側クランプ部材との対峙間隔を可変させる構成とすることで、間接活性作業によって電線装着用絶縁カバーの取付け取り外しを容易に行うことが可能となる。
【図面の簡単な説明】
【００１４】
【図１】図１は、本発明に係る電線装着用絶縁カバーの構成例を示す図であり、（ａ）はその正面図、（ｂ）はその平面図である。
【図２】図２は、図１に係る電線装着用絶縁カバーの展開図である。
【図３】図３は、図１に係る電線装着用絶縁カバーの斜視図である。
【図４】図４は、図１に係る電線装着用絶縁カバーを電線に取り付ける作業を説明する図であり、（ａ）は電線装着用絶縁カバーを電線にあてがい、固定する前の状態を示す図であり、（ｂ）はカバー本体で電線を覆い、クランプ本体で電線を挟持した状態を示す図である。
【図５】図５は、本発明に係る電線装着用絶縁カバーの他の構成例を示す図であり、（ａ）はその正面図、（ｂ）はその側面図である。
【図６】図６は、図５に係る電線装着用絶縁カバーを電線に取り付ける作業を説明する図であり、（ａ）はクランプ本体でカバー本体を挟持する前の状態を示す図、（ｂ）はクランプ本体でカバー本体を挟持した状態を示す図である。
【発明を実施するための形態】
【００１５】
以下、本発明の実施形態を図面に基づき詳述する。
【実施例１】
【００１６】
図１乃至図３において、電線装着用絶縁カバーの第１の構成例が示されている。この電線装着用絶縁カバー１は、ヒンジ部１１を中心として開閉し、電線の周囲を覆うように着脱可能に取り付けられるカバー本体１０と、このカバー本体１０と一体をなし、カバー本体１０が取り付けられる電線を外部からの操作で直接把持可能とするクランプ本体２０とを備えている。
【００１７】
カバー本体１０は、その全体が絶縁素材で形成されているもので、電線に沿って延設された半割れ円筒状の固定側カバー部材１２と、この固定側カバー部材１２の一側縁（図中、上縁）に設けられたヒンジ部１１を中心として回動する半割れ円筒状の可動側カバー部材１３と、を有して構成されている。
【００１８】
それぞれのカバー部材１２．１３のヒンジ部１１を介して連結している側縁と反対側の側縁には、その両端部にそれぞれ径方向外側へ突出し、カバー部材を閉じた状態において互いに重なり合う一対の突出片１２ａ，１２ｂ，１３ａ，１３ｂが設けられている。この互いに重なり合う突出片の一方１３ａ、１３ｂには係合突起１４ａが設けられ、他方の突出片１２ａ，１２ｂには、前記係合突起１４ａが篏合する係合孔１４ｂが形成されている。
【００１９】
また、それぞれのカバー部材１２，１３の突出片１２ａ，１２ｂ，１３ａ，１３ｂが設けられた側縁には、突出片間に把持片１２ｃ，１３ｃが設けられている。この把持片１２ｃ，１３ｃは、カバー本体１０を電線の補修箇所に被覆する際にホットスティックの先端で把持するために設けられているもので、固定側カバー部材１２の把持片１２ｃと可動側カバー部材１３の把持片１３ｃとは、カバー部材の長手方向で位置ずらして設けられている。また、この例では、それぞれのカバー部材１２，１３の内側に電線を側方から押圧する押圧リブ１２ｄ、１３ｄが設けられている。
【００２０】
したがって、固定側カバー部材１２の内側を電線の側面に該電線に沿ってあてがい、その状態でヒンジ部１１を中心として可動側カバー部材１３を回動させて電線を固定側カバー部材１２との間で挟み込み、互いに対峙し合う突出片１２ａと１３ａ，１２ｂと１３ｂの係合突起１４ａを係合孔１４ｂに篏合させることで、電線にカバー本体１０を取り付けることが可能となる。
【００２１】
これに対して、クランプ本体２０は、金属によって構成してもよいが、この例では、全体が合成樹脂等の絶縁性素材で形成されており、固定側カバー部材１２と一体をなし、電線に掛かり留める固定側クランプ部材２１と、外部からの操作で可動し、固定側クランプ部材２１との間で電線を挟持可能とする可動側クランプ部材２２とを有して構成されている。
【００２２】
固定側クランプ部材２１は、共用操作棒を装着可能とするアダプタ２３と、このアダプタ２３とは分離し、このアダプタ２３から上方へ延設された立設部２４と、この立設部２４の先端部に一体に設けられ、電線に係止する凹部２５ａを備えたフック部２５とを備えている。
固定側クランプ部材２１の立設部２４の内側には、アダプタ２３の回転に伴って回転するネジ部２６がアダプタ２３からフック部２５にかけて設けられ、したがって、フック部２５の凹部２５ａは、ネジ部２６よりも径方向外側に突出形成されている。
【００２３】
可動側クランプ部材２２は、ネジ部２６に螺合される基部２７とこの基部２７から径方向外側へ突出し、電線を受け入れる凹部２８ａを備えた押圧部２８とを備え、基部２７が固定側クランプ部材２１の立設部２４の周壁によって回転を阻止されつつネジ部２６の回転に伴ってネジ部２６の軸方向に変位可能となっている。したがって、アダプタ２３に装着される共用操作棒を自身の軸心を中心に回転させることで、可動側クランプ部材２２を螺進退させ、フック部２５との対峙間隔（フック部２５の凹部２５ａと押圧部２８の凹部２８ａとの対峙間隔）を可変できるようになっている。
【００２４】
以上の構成において、電線に電線装着用絶縁カバー１を取り付けるには、図２に示されるように、カバー本体１０を開いた状態にすると共にクランプ本体２０の固定側クランプ部材２１のフック部２５と可動側クランプ部材２２との対峙間隔を大きくした状態とし、共用操作棒Ａをアダプタ２３に装着し（図４に示す），この共用操作棒Ａを持ち上げて、電線装着用絶縁カバー１を電線Ｂの被覆したい部分に近づける。
【００２５】
その後、図４（ａ）に示されるように、固定側カバー部材１２の内側を電線Ｂに沿ってあてがい、電線Ｂをクランプ本体２０のフック部２５の凹部２５ａに引っ掛けるように配置し（電線Ｂをフック部２５と可動側クランプ部材２２の押圧部２８との間に配置し）、その状態で、ホットスティック等で把持片１２ｃ，１３ｃを把持する等して可動側カバー部材１３をヒンジ部１１を中心に回動させ、固定側カバー部材１２と可動側カバー部材１３との間に電線Ｂを挟み込み、その状態で、突出片１３ａ，１３ｂの係合突起１４ａを突出片１２ａ，１２ｂの係合孔１４ｂに篏合させてカバー本体１０を電線Ｂに取り付ける。
【００２６】
この状態において、電線Ｂは、それぞれのカバー部材の内側に設けられた押圧リブ１２ｄ、１３ｄによって側方から押圧されつつカバー本体１０に収容された状態となり、カバー本体１０は、押圧リブ１２ｄ、１３ｄにより軸方向の移動がある程度規制された仮止めの状態となる。
【００２７】
その後、共用操作棒Ａを自身の軸心回りに回転させて可動側クランプ部材２２をフック部２５に近づくように動かし、図４（ｂ）に示されるように、フック部２５と可動側クランプ部材２２（押圧部２８）との間で電線Ｂを直接挟み込み、電線Ｂにクランプ本体２０をしっかり固定する。そして、最後に共用操作棒Ａをアダプタ２３から取り外せば、電線装着用絶縁カバー１の取付け作業は完了する。
【００２８】
したがって、上述した電線装着用絶縁カバー１によれば、電線Ｂの所望箇所をカバー本体１０で覆った上で、クランプ本体２０を外部から操作して目視をもって確認しながら位置ずれ措置を確実に行うことが可能となり、また、クランプ本体２０によってカバー本体１０の位置ずれを確実に防止することが可能となる。
【００２９】
また、電線装着用絶縁カバー１を取り外すには、上述の取付け作業と逆の作業を行えばよく、電線Ｂに取り付けられている電線装着用絶縁カバー１のアダプタ２３に共用操作棒Ａを装着し、この共用操作棒Ａを自身の軸心回りに回転させて可動側クランプ部材２２をフック部２５から遠ざけ、クランプ本体２０による電線Ｂの挟持状態を解除する。その後、バインド打ち器等を用いてカバー本体１０の突出片１２ａ，１３ａ，１２ｂ，１３ｂの係合状態を解除し、カバー本体１０を電線から取り外せばよい。
【００３０】
したがって、上述した電線装着用絶縁カバー１を用いれば、電線Ｂの所望箇所への着脱を容易に行うことができ、しかも取り付けた状態をクランプ本体を外部から操作することによって確実に固定でき、また固定した状態を目視をもって確認することが可能となる。
【実施例２】
【００３１】
以上の構成は、カバー本体１０とクランプ本体２０とを別々に電線に取り付ける構成例であるが、図５に示される電線装着用絶縁カバー１を用いて、カバー本体１０の電線Ｂへの取付け作業とクランプ本体２０による固定作業とを同時に行うようにしてもよい。
【００３２】
この図５に示される電線装着用絶縁カバー１は、クランプ本体２０の内側に弾性変形可能なカバー本体１０を固定したもので、クランプ本体２０は、固定側クランプ部材２１と、外部からの操作によって可動し、固定側クランプ部材２１との間でカバー本体１０を挟持可能する可動側クランプ部材２２と、を有して構成されている。
【００３３】
カバー本体１０は、略矩形の板状のカバー部材１５を湾曲させて固定側クランプ部材２１のフック部２５と可動側クランプ部材２２との間に介在させ、固定側クランプ部材２１の立設部２４のフック部２５に移行する付近で固定側クランプ部材２１に溶着又は接着等で固定し、この固定部分をヒンジ部１１としてここ部分を中心として弾性変形可能となっている。したがって、カバー本体１０（カバー部材１５）は、クランプ本体２０の開閉に伴いヒンジ部１１を中心として開閉されるようになっている。
【００３４】
このヒンジ部１１は、カバー部材１５の略中央に設けられているもので、このヒンジ部１１より上側をフック部２５の凹部２５ａに沿って湾曲させ、ヒンジ部１１より下側を可動側クランプ部材２２の凹部２８ａに沿って湾曲させ、フック部２５と可動側クランプ部材２２との対峙間隔を小さくすると、カバー部材１５のヒンジ部１１より下側が可動側クランプ部材２２の凹部２８ａに案内されて丸められ、カバー部材１５の上側と重なり合って間に形成される空間を狭めるようになっている。
【００３５】
なお、フック部２０には、その両側へ延設してカバー部材１５に上方から当接し、カバー部材１５の弾性変形時にカバー部材が予期しない形状に変形することを防止するアーム部材２９が設けられている。
その他の構成部分は、前記構成例と同様であるので、同一箇所に同一符号を付して説明を省略する。
【００３６】
このような電線装着用絶縁カバー１によれば、クランプ本体２０の固定側クランプ部材２１のフック部２５と可動側クランプ部材２２との対峙間隔を大きくし、共用操作棒Ａをアダプタ２３に装着し（図６に示す），この共用操作棒Ａを持ち上げて、電線装着用絶縁カバー１を電線Ｂの被覆したい部分に近づける。
【００３７】
その後、図６（ａ）に示されるように、電線Ｂをカバー部材１５の間に配置し（電線Ｂをカバー部材１５を介してフック部２５と可動側クランプ部材２２との間に配置し）、その状態で、共用操作棒Ａを自身の軸心回りに回転させて可動側クランプ部材２２をフック部２５に近づくように動かし、図６（ｂ）に示されるように、フック部２５と可動側クランプ部材２２（押圧部２８）との間でカバー部材１５を挟み込み、カバー部材の内側の空間を狭めてカバー部材１５によって電線Ｂを締め付け、この電線Ｂにクランプ本体２０をカバー本体１０を介してしっかり固定する。そして、最後に共用操作棒Ａをアダプタ２３から取り外せば、電線装着用絶縁カバー１の取付け作業は完了する。これにより、電線Ｂの所望箇所をカバー本体１０で覆うと共にクランプ本体２０でカバー本体１０を確実に電線Ｂに固定することが可能となる。
【００３８】
また、電線装着用絶縁カバー１を取り外すには、上述の取付け作業と逆の作業を行えばよく、電線Ｂに取り付けられている電線装着用絶縁カバー１のアダプタ２３に共用操作棒Ａを装着し、この共用操作棒Ａを自身の軸心回りに回転させて可動側クランプ部材２２をフック部２５から遠ざけ、クランプ本体２０によるカバー本体１０の挟持状態を解除する。これにより、カバー部材１５も自身の復元力により開き、カバー本体１０を電線Ｂから取り外すことが可能となる。
【００３９】
したがって、上述した電線装着用絶縁カバー１を用いれば、電線Ｂの所望箇所へのカバー本体１０の取付けと、カバー本体１０の固定作業を同時に行うことが可能となり、また、カバー本体１０の固定した状態を目視をもって確認することが可能となる。
【符号の説明】
【００４０】
１  電線装着用絶縁カバー
１１  ヒンジ部
１０  カバー本体
２０  クランプ本体
１２  固定側カバー部材
１３  可動側カバー部材
２１  固定側クランプ部材
２２  可動側クランプ部材
２３  アダプタ
２４  立設部
２５  フック部
Ａ  共用操作棒
Ｂ  電線
【図１】
2019129586.tif 000003
【図２】
2019129586.tif 000004
【図３】
2019129586.tif 000005
【図４】
2019129586.tif 000006
【図５】
2019129586.tif 000007
【図６】
2019129586.tif 000008